(57)【要約】【課題】  ランプイメージが発生することなく薄型化が図れる。器具本体を仮支持した状態で取付け作業ができる。【解決手段】  器具本体１の取付面７側に取付板３０を挿通する取付開口部１１を設ける。器具本体１に取付開口部１１の開口方向と直交するランプ交換用開口部２８を設ける。器具本体１内の前記ランプ交換用開口部２８より内側に引き込んだ位置に器具本体１を支持するブロックカバー１４を設ける。壁面６に取付ける取付板３０を取付開口部１１に挿通すると共に該取付板３０にブロックカバー１４を固定することで器具本体１を取付ける。ランプ交換用開口部２８を塞ぐ透光パネル１７を器具本体１のランプ交換用開口部２８の開口端部より内側に引き込んだ位置において上記取付開口部１１に透光パネル１７が挿通しないようにした状態で前記透光パネル１７を取付け手段３５により取付板３０に着脱自在に取付ける。【選択図】        図１
2008235261.tif 000002
【特許請求の範囲】
【請求項１】
器具本体の取付面側に取付板を挿通する取付開口部を設けると共に、器具本体に取付開口部の開口方向と直交する平面ランプ交換のためのランプ交換用開口部を設け、器具本体内の前記ランプ交換用開口部より内側に引き込んだ位置に器具本体を支持するブロックカバーを設け、壁面に取付ける取付板を取付開口部に挿通すると共に該取付板にブロックカバーを固定することで器具本体を取付け、前記ランプ交換用開口部を塞ぐ透光パネルを器具本体のランプ交換用開口部の開口端部より内側に引き込んだ位置において上記取付開口部に透光パネルが挿通しないようにした状態で前記透光パネルを取付け手段により取付板に着脱自在に取付けて成ることを特徴とする照明器具。
【請求項２】
前記透光パネルは、中央部がランプ光を壁面と反対方向である前方に偏光するように表面加工してあると共に側面部が器具本体の上方に偏光するように表面加工してあることを特徴とする請求項１記載の照明器具。
【請求項３】
前記透光パネルは、器具本体に対して回動自在に取付けてあることを特徴とする請求項１又は請求項２記載の照明器具。
【発明の詳細な説明】
【技術分野】
【０００１】
本発明は、照明器具に関するものである。
【背景技術】
【０００２】
従来から、照明器具のような器具を壁面に取付けるに当って、器具の主体を構成する器具本体の前後面が前開口部、後開口部となった器具本体の内部に器具本体と一体に仕切り部を形成すると共に該仕切り部に前後に開口する挿入孔を形成し、壁面に取付けた壁面取付板から突出するねじ棒を器具本体の後開口部から中仕切り部の挿入孔に挿通し、器具本体の前面開口部に取付ける前面カバーを取り外した状態で、前面開口部から手を入れて挿入孔に挿通した上記ねじ棒の先端部に袋ナットを螺合することで器具本体を取付けるようにしたものが特許文献１により知られている。
【０００３】
上記特許文献１に示される従来例にあっては、器具本体を壁面に取付けるに当り、ねじ棒を挿通する挿入孔の開口方向と同方向に開口した器具本体の前面開口部から手を入れて袋ナットをねじ棒の先端部に螺合して取付けるので、器具本体が照明器具の場合、該器具本体の取付け作業を行うための前開口部をそのままランプ交換用の開口部として兼用し、且つ、該前開口部に取付ける前カバーをランプの光を透光する透光板とすると、必然的に、ランプの光が前開口部から前方に照射される直接照明となり、間接照明とすることができない。
【０００４】
ところで、照明器具のランプとしては一般に丸型のランプ、あるいは環状のランプ、あるいは直管状のランプが使用されており、上記従来例において、これら一般的に使用されている丸型のランプ、あるいは環状のランプ、あるいは直管状のランプを器具本体内に設ける場合、前面カバー部分に丸型のランプ、あるいは環状のランプ、あるいは直管状のランプのランプイメージが見えるという問題がある。
【０００５】
この前面カバーに発生するランプイメージを改善するには、ランプと前面パネルとの間の距離を所定距離以上離して前面パネルにランプイメージが生じないようにする必要があり、このようにランプと前面パネルとの間の距離をランプイメージが生じない所定距離以上離すと、器具本体が厚くなるという問題があり、また、従来にあっては、前面カバーが前面に露出してしまう。
【０００６】
また、上記特許文献１に示された従来例にあっては、ねじ棒を挿通孔に挿通して袋ナットで螺合することで、取付けるものであるから、袋ナットを締め付けるまでの間、つまり、ねじ棒を挿通孔に挿通した状態では挿通孔部分がねじ棒から滑り落ちるおそれがあって、ねじ棒締め作業までの仮支持が安定してできず、このため、ねじ棒を挿通孔に挿通した状態で器具本体が滑り落ちないように手で支持しながらねじ棒の先端部に袋ナットを螺合する操作をしなければならず、取付け作業が面倒となるという問題がある。
【特許文献１】特開２００６−１８９０８３号公報
【発明の開示】
【発明が解決しようとする課題】
【０００７】
本発明は上記の従来の問題点に鑑みて発明したものであって、ランプイメージが発生することなく薄型化が図れ、器具本体の取付け作業を行うための開口部を利用してランプ交換ができると共に該開口部に取付ける透光パネルを介してランプイメージや光むらの少ない間接照明ができ、また、壁面への器具本体の取付けに当って仮支持できて取付け作業が容易にできる照明器具を提供することを課題とするものである。
【課題を解決するための手段】
【０００８】
上記課題を解決するために本発明に係る照明器具は、器具本体１の取付面７側に取付板３０を挿通する取付開口部１１を設けると共に、器具本体１に取付開口部１１の開口方向と直交する平面ランプ３交換のためのランプ交換用開口部２８を設け、器具本体１内の前記ランプ交換用開口部２８より内側に引き込んだ位置に器具本体１を支持するブロックカバー１４を設け、壁面６に取付ける取付板３０を取付開口部１１に挿通すると共に該取付板３０にブロックカバー１４を固定することで器具本体１を取付け、前記ランプ交換用開口部２８を塞ぐ透光パネル１７を器具本体１のランプ交換用開口部２８の開口端部より内側に引き込んだ位置において上記取付開口部１１に透光パネル１７が挿通しないようにした状態で前記透光パネル１７を取付け手段３５により取付板３０に着脱自在に取付けて成ることを特徴とするものである。
【０００９】
このような構成とすることで、壁面６に取付ける取付板３０に取付開口部１１を差し込むことで、取付板３０により仮支持した状態でランプ交換用開口部２８を利用して固着具３３を挿入して器具本体１を取付ける作業ができる。また、器具本体１に取付開口部１１の開口方向と直交する平面ランプ３交換のためのランプ交換用開口部２８を設け、該ランプ交換用開口部２８を透光パネル１７で閉じるので、平面ランプ３を用いることによる光むらを少なくする効果に加え、平面ランプ３と透光パネル１７との間隔を短くしても透光パネル１７を介してランプイメージが発生し難くでき、ランプ交換用開口部２８に取付ける透光パネル１７を介してランプイメージや光むらの少ない間接照明ができることになる。しかも、ランプ交換用開口部２８を塞ぐ透光パネル１７を器具本体１のランプ交換用開口部２８の開口端部より低い位置において取付開口部１１に透光パネル１７が挿通しないようにした状態で前記透光パネル１７を取付け手段３５により取付板３０に着脱自在に取付けるので、透光パネル１７を取付け手段３５により取付板３０に取付けるに当って、透光パネル１７の端部が取付開口部１１に挿通されることなく正しく位置決めされてランプ交換用開口部２８を確実に閉じた状態で透光パネル１７を取付板３０に取付けることができる。
【００１０】
また、透光パネル１７は、中央部がランプ光を壁面６と反対方向である前方に偏光するように表面加工してあると共に側面部が器具本体１の上方に偏光するように表面加工してあることが好ましい。
【００１１】
このような構成とすることで、採光パネル１７を介して照射されるランプ光のうち、透光パネル１７の中央部から照射されるランプ光は壁面６と反対方向である前方に偏光して照射されることになって、壁面６から離れた天井面や壁面６から離れた天井面の近くの空間を効果的に照射でき、また、透光パネル１７の側面部から照射されるランプ光は上方に偏光するように照射されることになって、壁面６に近い天井面を効果的に照射でき、これにより、壁面６から離れた天井面や壁面６から離れた天井面近くの空間、壁面６に近い天井面をそれぞれ効果的に照明できることになる。
【００１２】
また、前記透光パネル１７は、器具本体１に対して回動自在に取付けてあることが好ましい。
【００１３】
このような構成とすることで、透光パネル１７が偏光性を備えていると、簡単な構成で、採光パネル１７を介して照射されるランプ光を狙いの方向に簡単に光を照射できる。
【発明の効果】
【００１４】
本発明は、上記のように構成したので、器具本体に取付開口部の開口方向と直交する平面ランプ交換のためのランプ交換用開口部を設けてあるので、平面ランプと透光パネルとの間隔を短くしても透光パネルを介してランプイメージが発生し難くでき、ランプ交換用開口部に取付ける透光パネルを介してランプイメージや光むらの少ない間接照明ができ、また、壁面への器具本体の取付けに当って器具本体を仮支持した状態で、ランプ交換用開口部を利用して、照明器具本体の取付板への取付けができると共に、該ランプ交換用開口部を利用して透光パネルの取付板への取付けが簡単にできる。
【発明を実施するための最良の形態】
【００１５】
以下、本発明を添付図面に示す実施形態に基いて説明する。
【００１６】
本発明の照明器具９は、内部に端子台２９、安定器４を含む点灯ブロック１２、ブロックカバー１４、ランプ支持ばね１６、ランプソケット５を備えた器具本体１と、透光パネル１７と、器具本体１を壁面６に取付けるための取付板３０と、器具本体１内に配置して取付ける平面ランプ３とにより構成してある。
【００１７】
照明器具９の主体を構成する器具本体１は図１、図２に示すように、上下方向に薄い扁平な薄箱状をしており、添付図面に示す実施形態においては、平面視四角形をした薄箱状となっている。
【００１８】
この平面視四角形をした薄箱状となった器具本体１の大部分は上面側又は下面側に開口した主収納部１３となっている。器具本体１の一側部は壁面６に取付けられる側となる取付け部７となり、この壁面６に取付けられる側となる取付け部７は側方に開口する凹所３８となっており、凹所３８と主収納部１３とは仕切壁部１０により仕切ってあり、仕切壁部１０の上端部には凹所３８と主収納部１３とは仕切壁部１０とを連通するスリット状の取付開口部１１が形成してある。
【００１９】
器具本体１の主収納部１３内の仕切壁部１０側に偏った箇所に安定器４を含む点灯ブロック１２が配置されてねじ４９により固着してある。
【００２０】
ブロックカバー１４は裏面側に開口した凹部となったブロック覆い部１５と、表面側が開口した凹部となった平面ランプ配置部８とを有しており、このブロックカバー１４を主収納部１３内に入れてブロック覆い部１５で点灯ブロック１２を覆った状態で、ブロックカバー１４を器具本体１にねじなどの固定手段５０により取付けてある。
【００２１】
ブロックカバー１４のブロック覆い部１５と隣あって位置する平面ランプ配置部８には平面ランプ３を配置して取付ける。
【００２２】
ここで、器具本体１の主収納部１３は前述のように上面側又は下面側が開口しているが、この主収納部１３に設けた上面側又は下面側の開口は取付開口部１１の開口方向と直交方向となっていて、該主収納部１３の開口部がランプ交換用開口部２８となっている。
【００２３】
また、主収納部１３の内壁面には後述の透光パネル１７でランプ交換用開口部２８を遮蔽するように透光パネル１７を取付ける際に透光パネル１７の一部を支持するためのパネル支持部３９を突設している。
【００２４】
平面ランプ配置部８内の対向する一対のコーナ部分である角部にはそれぞれランプソケット５とランプ支持ばね１６の対がそれぞれ設けてある。
【００２５】
平面ランプ３は、図３に示すように、発光管２を、同一仮想平面において管の長手方向の中間部を中心として二重渦巻き状に放電路が旋廻するように形成すると共に、発光管２の両端部に口金１８を設けることで構成してあり、この平面ランプ３は、発光管２の渦巻きと正対する方向（上記仮想平面と正対する方向）から見ると、中央部を含めて全体として平面状に発光する状態を現出する平面状発光体である。したがって、環状の発光管を有するランプと比較して小形で且つ明るい。また上記二重渦巻の中心となる発光管２の長さ方向の中間部は他の部分よりも太く形成してあり、その一部が平面ランプ３の片面側に突出している。この突出部分２ａは発光管２の最冷点となるもので、これにより平面ランプ３の安定した発光を実現できる。
【００２６】
発光管２に設けた一対の口金１８は正面視で二重渦巻状の発光管２の中心を中心として点対称の位置に配置してある。各口金１８と該口金１８の内側に位置する発光管２の長さ方向の一部の間、及び発光管２の長さ方向の一部と同部の内側に位置する発光管２の長さ方向の一部の間には充填材１９を充填してあり、また一対の口金１８同士は平面ランプ３の一方の面側に配置したブリッジ２０により連結してあり、これら充填材１９及びブリッジ２０により二重渦巻状の平面ランプ３の変形が防止されている。また前記各口金１８と発光管２の間及び発光管２間に設けた充填材１９はブリッジ２０の平面ランプ３側の面上に設けてあって正面視でブリッジ２０と重複しているため、充填材１９及びブリッジ２０によって発光管２が塞がれる面積が小さく光のロスが少ない。
【００２７】
各口金１８の端面には平行な２本のランプピン２１を突設してあり、一方の口金１８に設けたランプピン２１の突出方向と他方の口金１８に設けたランプピン２１の突出方向は逆方向となっている。各口金１８の一対のランプピン２１は円形となった口金１８の端面の中央部から突出し、平面状に発光する平面ランプ３の面（即ち前記発光管２を配置した同一仮想面）に対して直交する方向に並設されている。
【００２８】
ランプソケット５は、ブロックカバー１４に対して固定されるソケット本体２２と、ソケット本体２２に形成した口金１８側に開口する円筒状の保持部２３の内側に回動可能に収納した断面略Ｃ字状の回動体２４が図４（ａ）の状態から図４（ｂ）の状態にできるように回動可能に収納されている。回動体２４の周方向の端部には保持部２３の前側の壁部に形成した切欠２５を介して突出する操作レバー２６を設けている。また回動体２４の内面には一対の接触子（図示せず）を固設している。
【００２９】
平面ランプ３は主収納部１３のランプ交換用開口部２８から平面ランプ配置部８内に平面ランプ３を入れ、平面ランプ３の口金１８に設けたランプピン２１をランプソケット５に電気的・機械的に接続すると共に発光管２又は口金１８をランプ支持ばね１６に支持させることで取付ける。
【００３０】
各ランプソケット５に平面ランプ３を接続するには、図４（ａ）のようにＣ字状の回動体２４を上方に向けて開口させた状態で、平面ランプ３を各口金１８の一対のランプピン２１を回動体２４内に挿入し（この場合、同時にランプ支持ばね１６で仮支持する）、その後、操作レバー２６を操作して回動体２４を回動して、各回動体２４に設けた一対の接触子で一対のランプピン２１を保持すると共に該一対の接触子と一対のランプピン２１を電気的に接続する。なお各ランプソケット５と平面ランプ３の接続の解除は上記と逆の操作をする。
【００３１】
上記のように、平面ランプ３をランプ交換用開口部２８から平面ランプ配置部８内に挿入する挿入方向と同じ方向に移動するだけで、各口金１８の一対のランプピン２１をランプソケット５の回動体２４の内側に挿入できるので、平面ランプ３と各ランプソケット５の接続が容易になる。また各口金１８の一対のランプピン２１は平面ランプ３と平行な面に対して直交する方向に並設してあるので、正面視で各口金１８の幅寸法を短くできて平面ランプ３の正面視の面積を小さくでき、また図１においてＬで示す各ランプソケット５の幅寸法も短くでき、平面ランプ配置部８の挿入方向から見たランプソケット５の面積を小さくできる。またこの場合、発光管２内において各口金１８の一対のランプピン２１間に設けられるフィラメント（図示せず）は平面ランプ３と平行な面に対して直交するように配置されることとなるので、発光管２を二重渦巻状に曲げたものであるにもかかわらず、正面視でフィラメントと該フィラメントの両側の発光管２の内面との間に形成されるクリアランスを一定とすることができる。また本例では発光管２に設けた一対の口金１８は点対称の位置に配置してあるので、平面ランプ３を各ランプソケット５に接続した状態では、平面ランプ３と各ランプソケット５よりなる正面形状が略矩形状となって、該略矩形状の対向する隅部であるデッドスペースに各口金１８及び各ランプソケット５を配置でき、照明器具９の主体を構成する器具本体１のランプ交換用開口部２８と正対する方向から見た面積をより小さくできる。
【００３２】
扁平な薄箱状をした器具本体１の一側部に設けた凹所３８内には端子台２９を配置して取付けてある。
【００３３】
上記のように、薄箱状をした器具本体１内には、端子台２９、安定器４を含む点灯ブロック１２、一対のランプ支持ばね１６、一対のランプソケット５、平面ランプ３を配置して取付けるのであるが、この場合、図２に示すように、端子台２９、安定器４を含む点灯ブロック１２、一対のランプ支持ばね１６、一対のランプソケット５、これらランプ支持ばね１６、ランプソケット５に接続支持する平面ランプ３は上下方向に重ならないように横方向に並べて配置して取付けてあり、（具体的には上記各部材が平面ランプ３の面（平面状の発光面）と略同一面上に位置するように横方向に並べて配置してある）、したがって、器具本体１を薄型化することが可能となる。しかも、このように、平面ランプ３、安定器４を含む点灯ブロック１２、一対のランプ支持ばね１６、一対のランプソケット５、端子台２９がいずれも略同一平面上に位置するように横方向に並べて配置することで薄型化が図れるようにしたものであるにもかかわらず、平面ランプ３を使用しているので、環状のランプに比べて小さくでき、その分だけ小型化が図れることになる。また、本発明において、器具本体１内への上記各内装部材の配置は、器具本体１の一側部に壁面６への取付け部７と平面ランプ３を配置する平面ランプ配置部８との間に安定器４を配置するような位置関係となるように配置する。
【００３４】
上記のように器具本体１内に、端子台２９、安定器４を含む点灯ブロック１２、一対のランプ支持ばね１６、一対のランプソケット５、平面ランプ３を内装した状態で、器具本体１を取付板３０を用いて壁面６に取付けるようになっている。
【００３５】
取付板３０は縦片よりなる壁固定板部３１の上端から側方に横片よりなる器具固定板部３２を一体に連出して構成してある。
【００３６】
器具本体１の壁面６への取付けにあたっては、取付板３０の壁固定板部３１を壁面６の任意の位置に当接した状態で木ねじのような固着具３３により壁面６に固着する。その後、取付板３０の器具固定板部３２を、扁平な薄箱状をした器具本体１の一側部の取付け部７に設けた側方開口から入れてスリット状の取付開口部１１に挿通してブロックカバー１４のブロック覆い部１５の上に重ねると共に、器具本体１の一側部の取付け部７を壁面６に当接する。この状態で、ねじ具のような固定具３４により器具固定板部３２とブロック覆い部１５とを固定する。これにより、上下方向に薄くなった扁平な薄箱状の器具本体１が取付板３０を介して壁面６に取付けられることになる。
【００３７】
この場合、取付板３０の器具固定板部３２を、扁平な薄箱状をした器具本体１の一側部の取付け部７に設けた側方開口から入れてスリット状の取付開口部１１に挿通してブロックカバー１４のブロック覆い部１５の上に重ねることで、横片よりなる板状をした器具固定板部３２により薄箱状をした器具本体１が安定して仮支持された状態となり、固定具３４による固定作業が容易に行えることになる。固定具３４の固着作業は器具本体１の主収納部１３の開口部から手を入れて作業を行う。図５に取付板３０と器具本体１とを固定した状態を示している。
【００３８】
上記のように器具本体１が取付板３０を介して壁面６に取付けた後、透光パネル１７を主収納部１３の開口部（ランプ交換用開口部２８）内に入れ、器具固定板部３２、パネル支持部３９に当接した状態でつまみねじのような取付け手段３５により透光パネル１７を器具固定板部３２に着脱自在に取付けることで、透光パネル１７でランプ交換用開口部２８を遮蔽する。
【００３９】
ここで、透光パネル１７は器具本体１のランプ交換用開口部２８の開口端部より低い位置（つまり内側に引き込んだ位置）において取付けられ、透光パネル１７がランプ交換用開口部２８よりも外方（実施形態では上方）に突出しないようになっており、しかも、透光パネル１７のスリット状の取付開口部１１と対向する辺の長さが取付開口部１１の長さよりも長く、更に、透光パネル１７の取付開口部１１と対向する辺側の上面端部に上方に突出する摘み部３６を突設してあるので、透光パネル１７をランプ交換用開口部２８内に入れても透光パネル１７がスリット状の取付開口部１１内に挿通しないようになっており、この結果、摘み部３６側が取付開口部１１側に位置するように透光パネル１７をランプ交換用開口部２８内に入れるだけで、取付開口部１１に透光パネル１７が挿通しないようにして位置決めした状態で前記透光パネル１７を取付け手段３５により簡単に取付けることができる。掴み部３６は取付開口部１１の上縁部よりも上方に突出するもので、ランプ交換の際は、取付け手段３５による取付けを解除した後、掴み部３６を指で掴んで透光パネル１７を取り外すことができる。
【００４０】
上記のようにして壁面６に照明器具９を取付けるものであり、平面ランプ３を点灯すると、透光パネル１７を通過して照射される。
【００４１】
ところで、本発明において、透光パネル１７は図６に示すように、壁面６に沿った方向における透光パネル１７の中央部がランプ光を壁面６と反対方向である前方に偏光するように表面加工してあって中央偏光加工部１７ａとなっており、また、壁面６に沿った方向における透光パネル１７の両側面部が器具本体１の上方に偏光するように表面加工してあって、側部偏光加工部１７ｂとなっている。
【００４２】
したがって、透光パネル１７を通過するランプ光のうち、透光パネル１７の中央部を通過するランプ光は、中央偏光加工部１７ａを介して図７（ａ）のように、壁面６と反対方向である前方に向けて照射されて壁面６から離れた天井面または天井面の近くの空間が照らされ、また、側部偏光加工部１７ｂを介して図７（ｃ）のように、上方に向けて壁面６に近い天井面が照射される。この場合、上記中央偏光加工部１７ａを通過して前方へ向けて偏光とは、斜め上前方に向けての偏光も含まれるものであり、中央偏光加工部１７ａの偏光のための加工を、壁面６から離れる方向に斜め上前方に向かうように偏光するように加工してある場合は、壁面６から離れた天井面にランプ光を照射できることになる。また、側部偏光加工部１７ｂを設けることなく、この部分を単に光が透過する透光部とすると側部においてはランプ光が偏光することなく図７（ｂ）のようになる。なお、図７（ｂ）（ｃ）においてハッチングで示す領域は影の部分を示している。
【００４３】
本発明においては、上記のように、扁平な薄箱状をした器具本体１内に平面ランプ３と、安定器４と、ランプソケット５とを平面ランプ３の面と略同一面上に位置するように配置するので、照明器具９の薄型化が図れる。しかも、器具本体１内に配置する平面ランプ３が管中央部を中心として略一平面を渦巻き状に放電路が旋廻した発光管２よりなるので、平面ランプ３は中央部を含めて面として発光する輝度むらのない照明ができることになると共に、環状のランプに比べて径が小さくてよいので、平面ランプ３を配置するための平面ランプ配置部８の面積が小さくてすみ、上記のように照明器具９を壁面６に取付ける場合も環状のランプを内装する場合に比べて照明器具９（器具本体１）の壁面６からの出代を小さくすることが可能となる。しかも、このように上下方向に薄型で且つ壁面６からの出代が小さな照明器具９とすることができるものでありながら、壁面６への取付け部７と平面ランプ３を配置する平面ランプ配置部８との間に安定器４を配置してあるので、平面ランプ３と壁面６との間の距離をできるだけ離すことができ、壁面６の仕様に関係なく天井面を照射して安定した明るさを確保することできるようになっている。
【００４４】
図８には本発明の他の実施形態が示してある。この実施形態においては、ブロックカバー１４の平面ランプ配置部８の底部を壁面６から離れるほど前下がりとなるように傾斜する傾斜面とし、該傾斜面となった平面ランプ配置部８の底部に設けたランプ支持ばね１６、ランプソケット５に前述のようにして平面ランプ３を取付けることで、平面ランプ３を壁面６から離れるほど前下がりとなるように傾斜させた例であり、この場合は、平面ランプ３の発光平面自体による発光方向が壁面６から離れるほど斜め上前方となるように傾斜しているため、平面ランプ３から照射されて透光パネル１７を通過するランプ光は、壁面から離れる方向に向けて斜め上前方に照射されるので、前述のように透光パネル１７に、前方に向けてランプ光を壁面６と反対方向である前方に偏光するように表面加工しなくても、壁面６から離れた天井面や壁面６から離れた天井面付近の空間を照らすことができる。もちろん、本実施形態においても、前述と同様に透光パネル１７の中央部に中央偏光加工部１７ａを形成すると共に、両側部に側部偏光加工部１７ｂを形成してもよい。このような透光パネル１７を用いた場合は、壁面６から更に離れた天井面や壁面６から更に離れた天井面の下方の空間を照らすことができる。
【００４５】
図９乃至図１１には本発明の他の実施形態が示してある。本実施形態においては、透光パネル１７の全体又は一部を器具本体１に対して回動自在に取付けてある。
【００４６】
本実施形態では図１１に示すように、透光性を有する透光パネル本体４０に偏光加工を施した透光性の円板４１を軸４２により回転自在に取付けて透光パネル１７が構成してある。透光パネル本体４０の上面部には円形をした段落部４３が設けてあって、円板４１はこの段落部４３上に回転自在に重ねてある。透光パネル本体４０の取付開口部１１と対向する辺側は段落部４３よりも上方に突出した厚みの厚い部分となっており、この取付開口部１１と対向する辺側の上面端部に上方に突出する摘み部３６を突設してある。また、上記厚みの厚い部分に取付け手段３５であるねじ具を挿入する孔４４が設けてあり、前述の実施形態と同様に、器具本体１が取付板３０を介して壁面６に取付けた後、透光パネル１７を主収納部１３の開口部（ランプ交換用開口部２８）内に入れ、器具固定板部３２、パネル支持部３９に当接した状態でつまみねじのような取付け手段３５により透光パネル１７を器具固定板部３２に着脱自在に取付けることで、透光パネル１７でランプ交換用開口部２８を遮蔽する。
【００４７】
ここで、透光パネル１７を取付け手段３５により取付板３０に取付けるに当って、透光パネル１７の端部が取付開口部１１に挿通されることなく正しく位置決めされてランプ交換用開口部２８を確実に閉じた状態で透光パネル１７を取付板３０に取付けることができるのは前述の実施形態と同様である。
【００４８】
透光パネル１７の一部を構成する円板４１にはランプ光をある方向に向けて偏光するように表面加工などを施してある。図９乃至図１１の実施形態では、偏光方向が異なる中央偏光加工部１７ａと側部偏光加工部１７ｂとを設けた例であり、例えば、中央偏光加工部１７ａはランプ光が器具本体１の横方向に向けて偏光するように表面加工がしてあり、側部偏光加工部１７ｂは器具本体１の上方に偏光するように表面加工してある。
【００４９】
したがって、透光パネル１７の一部である円板４１を器具本体１に対して回転することで、側部偏光加工部１７ｂにより上方に偏光するように照射しながら、同時に、中央偏光加工部１７ａによるランプ光の偏光方向を、壁面６と反対側の横方向に向けて中央偏光加工部１７ａによるランプ光を偏光して照射させたり、あるいは、壁面６に沿った横方向に中央偏光加工部１７ａによるランプ光を偏光して照射させたり、あるいは、上記両者の間の任意の横方向に向けて偏光して照射させたりというように、目的とする方向を簡単に照射することができる。
【００５０】
もちろん、本発明においては、偏光加工部の偏光方向は上記各実施形態のみに限定されない。
【図面の簡単な説明】
【００５１】
【図１】本発明の一部破断した平面図である。
【図２】同上の側断面図である。
【図３】同上に用いる平面ランプを示し、（ａ）は平面図であり、（ｂ）は側面図である。
【図４】同上のランプソケットを示し、（ａ）はランプソケットにＣ字状の回動体を上方に向けて開口させてランプピンを差し込んでいる状態を示す斜視図であり、（ｂ）はＣ字状の回動体を回動してＣ字状の開口を閉じた状態の斜視図である。
【図５】同上の透光パネルを取付ける前の状態の斜視図である。
【図６】同上に用いる透光パネルを示し、（ａ）は平面図であり、（ｂ）は断面図であり、（ｃ）は側面図である。
【図７】（ａ）は同上の中央偏光加工部から横方向に偏光させたランプ光を壁面と反対側の横方向に照射している例を示す説明図であり、（ｂ）は同上の側部偏光加工部からのランプ光を上方に偏光させない場合の説明図であり、（ｃ）は同上の側部偏光加工部からのランプ光を上方に偏光させる場合の説明図である。
【図８】本発明の他の実施形態の側断面図である。
【図９】本発明の更に他の実施形態の斜視図である。
【図１０】同上の平面図である。
【図１１】同上に用いる透光パネルを示し、（ａ）は平面図であり、（ｂ）は側面図であり、（ｃ）は正面図である。
【符号の説明】
【００５２】
１  器具本体
３  平面ランプ
５  ランプソケット
６  壁面
７  取付面
８  平面ランプ配置部
１１  取付開口部
１４  ブロックカバー
１７  透光パネル
２８  ランプ交換用開口部
３０  取付板
３５  取付け手段
【図１】
2008235261.tif 000003
【図２】
2008235261.tif 000004
【図３】
2008235261.tif 000005
【図４】
2008235261.tif 000006
【図５】
2008235261.tif 000007
【図６】
2008235261.tif 000008
【図７】
2008235261.tif 000009
【図８】
2008235261.tif 000010
【図９】
2008235261.tif 000011
【図１０】
2008235261.tif 000012
【図１１】
2008235261.tif 000013